(57)【要約】  本発明は、少なくとも２つの水平プロファイル（４、４’、９）によって互いに連結された少なくとも２つの垂直プロファイル（１１、１１’）を備える、特にキッチン家具の家具壁に関する。上記水平プロファイル（４、４’、９）は、垂直プロファイル（１１、１１’）に端部ヘッドピース（５、５’）を用いてまたは直接的に固定され、少なくとも１つの受容要素（２４）が、止め具（２０、４０）を固定するために各ヘッドピース（５、５’）または各水平プロファイル（４、４’）上に形成される。【選択図】図１
2012526573.tif 000002
【特許請求の範囲】
【請求項１】
少なくとも２つの水平プロファイル（４、４’、９）によって互いに連結された少なくとも２つの垂直プロファイル（１１、１１’）を備える、特にキッチン家具の家具壁であって、前記水平プロファイルが、前記垂直プロファイル（１１、１１’）に端部ヘッドピース（５、５’）を用いてまたは直接的に固定され、少なくとも１つの受容要素（２４）が、取付け具（２０、４０）を固定するために各ヘッドピース（５、５’）または各水平プロファイル（４、４’）上に形成される、家具壁。
【請求項２】
前記少なくとも１つの受容要素（２４）が各ヘッドピース（５、５’）内に溝を含み、任意の取付け具（２０）の取付け板（２５）が前記溝の中で摺動されうることを特徴とする、請求項１に記載の家具壁。
【請求項３】
任意の取付け具（２０、４０）を固定するためのラッチ手段（２７）が、各ヘッドピース（５、５’）上に配置されることを特徴とする、請求項１または２に記載の家具壁。
【請求項４】
前記ラッチ手段（２７）が弾性ブラケットを備えることを特徴とする、請求項３に記載の家具壁。
【請求項５】
前記垂直プロファイル（１１、１１’）が、前記ヘッドピース（５、５’）の開口を通って案内されることを特徴とする、請求項１〜４のいずれか一項に記載の家具壁。
【請求項６】
前記垂直プロファイル（１１、１１’）がラッチ手段（１６）を有するストリップ（１２）を取り囲み、前記ヘッドピース（５、５’）が前記ラッチ手段（１６）に固定されることを特徴とする、請求項１〜５のいずれか一項に記載の家具壁。
【請求項７】
床（３０）またはカバーボードを固定するための端部プロファイル（９）が、上端部および／または下端部に設けられることを特徴とする、請求項１〜６のいずれか一項に記載の家具壁。
【請求項８】
前記カバーストリップ（９）が、保持プロファイル内で摺動するための少なくとも１つの溝（２９）を含むことを特徴とする、請求項７に記載の家具壁。
【請求項９】
２つの相互に離隔された脚要素（７）が、前記家具壁の底側に設けられることを特徴とする、請求項１〜８のいずれか一項に記載の家具壁。
【請求項１０】
前記脚要素（７）が、１つまたは複数のヘッドピース（５）に固定されることを特徴とする、請求項９に記載の家具壁。
【請求項１１】
前記水平プロファイル（４）が、引抜きガイドのガイドレール（４０）内で摺動するための受容要素を備えることを特徴とする、請求項１〜１０のいずれか一項に記載の家具壁。
【請求項１２】
カバーボード（１４）が、前記家具壁の側面に固定されることを特徴とする、請求項１〜１１のいずれか一項に記載の家具壁。
【請求項１３】
前記カバーボード（１４）がミシン目（４６）を有することを特徴とする、請求項１〜１２のいずれか一項に記載の家具壁。
【請求項１４】
請求項１〜１３のいずれか一項に記載の家具壁を少なくとも２つ備える家具の骨組みを備える家具（１）。
【発明の詳細な説明】
【技術分野】
【０００１】
本発明は、複数の水平プロファイルによって互いに連結された少なくとも２つの垂直プロファイルを備える、特にキッチン家具の家具壁、および家具に関する。
【背景技術】
【０００２】
家具本体内に組み付けられ、取付け具とともにねじくぎで取り付けられる、チップボード製の家具壁がある。この種の家具壁は、質量が比較的大きく、製作者によって適合サイズに正確にのこぎりで切断される必要がある。
【０００３】
さらに、空洞を有する中間層が例えばハニカムボードの形で設けられた軽量の建築用ボードがある。この種の軽量の建築用ボードには、中間層が圧縮荷重しか受けることができないため、取付け具の取付けが困難であるという問題がある。さらに、一体化された支持機能／支持縁を用いた縁取りが周辺に施される必要があり、この縁取りをいわゆるハニカムボードに施すのは特に困難である。
【発明の概要】
【発明が解決しようとする課題】
【０００４】
したがって、本発明の目的は、質量が非常に小さく、かつフレキシブルなサイズで製造されうる家具壁を提供することである。家具工場内でのばらつきを低いレベルに保つためにモジュラーシステムが望ましい。建設現場での取付け工は、それぞれの機能に対する「標準化された家具要素」を用意する。取付け具用の凹所を設けるためにミシン目の開口部が道具を使わずに側壁から切り離される。次いで、取付け具の取付けは簡単な方法で行うことができる。
【課題を解決するための手段】
【０００５】
この目的は、請求項１の特徴をもつ家具壁によって達成される。
【０００６】
本発明による家具壁は、複数の水平プロファイルによって互いに連結された少なくとも２つの垂直プロファイルを備え、上記水平プロファイルは端部側にヘッドピースまたは受容装置を備え、ヘッドピースまたは受容装置にはそれぞれ１つの垂直プロファイルが固定され、取付け具を固定するための少なくとも１つの受容要素が各ヘッドピースまたは各受容装置上に配置される。その結果、大きな力は水平プロファイルおよび垂直プロファイルを有する枠組状の構造によって吸収されうるので、家具壁は比較的安定した構成で提供されうる。家具壁は、垂直プロファイルと水平プロファイルとの間に空洞が配置されるので軽量構造で構成され、したがって、家具壁の体積の割には質量が非常に小さい。空洞は、ケーブルダクトへのアクセスとして使用することができるが、変圧器、容器、貯蔵タンクなどの追加の装置を収容するための追加空間としても使用することができる。
【０００７】
空洞を発泡材料で詰めることも可能であり、発泡材料は、両側面および表面縁部上にカバー層を形成することもでき、それによって追加のカバーボードが不必要になる。さらに、発泡材料は装飾要素として使用することができる。さらに、発泡材料は、家具の骨組みの内部空間を断熱するために使用することもできる。それによって貯蔵品目を不適切な温度から保護することができる。家具骨組み内部の温度を上げたり下げたりするために、熱交換器装置を枠組構造の空洞内に組み込むことができる。
【０００８】
水平プロファイルは垂直プロファイルに結合されて既定の格子の家具壁になり、その格子はキッチン家具の後の機能を反映する。取付け具の取付けは、それぞれ少なくとも１つの受容要素が設けられているヘッドピースまたは受容装置で簡単に行われる。高度に可変な構成および不変の構成の結果として多種多様な組合せが可能である。例えば、引き出しが前方領域で動かされうるのに対して、回転ドアが後方領域に固定される。さらに、骨組み側面の枠組内に個々の補強部分を得るために、あるいは互いに種々の有用な空間の範囲を定めるために、中間壁が任意の所望の位置に挿入されうる。
【０００９】
取付けを簡単にするために、少なくとも１つの受容要素は各ヘッドピースに溝を含み、この溝の中にヒンジなどの取付け具の取付け板が挿入されうる。取付け具を固定するためのラッチ手段が各ヘッドピースまたは各受容装置上に配置されることができ、したがって、道具を使わずに取り付けることができる。ラッチ手段は、各ヘッドピースまたは受容装置上に一体に配置された弾性ブラケットを備えることができる。受容要素が各ヘッドピースまたは受容装置の両側に配置されることができ、したがって、種々の取付け具がそれぞれの目的に応じて選択されたヘッドピースまたは受容装置上に取り付けられることができる。ヘッドピースまたは受容装置の受容要素はカバーでふさぐことができ、したがって、各受容要素は、取付け具が取り付けられるときにのみ、カバーを除去することによって開放される。
【００１０】
垂直プロファイルは、家具壁の安定した支持のためのヘッドピースまたは受容装置の開口を通って案内されうる。それによって、例えば引き出し、ヒンジ、またはその他の構成要素によって引き起こされる重量による力が、種々の水平プロファイル上で吸収されうる。傾斜に対する安全性が開口を通って垂直プロファイルを案内することによって提供される。垂直プロファイルはラッチ手段を備えることができ、このラッチ手段にはヘッドピースまたは受容装置が対応するラッチ手段で固定されうる。その場合、垂直プロファイルは、道具を使わずに取り付けることができ、測定手段を使わずに等間隔で整列することができる。
【００１１】
一実施形態によれば、床またはカバーボードを固定するための端部プロファイルが、上端部および／または下端部に設けられる。端部プロファイルは、保持プロファイル内で摺動するための少なくとも１つの溝を含むことができ、したがって、端部プロファイル上に１つまたは複数のカバーボードまたは床を取り付けることができる。保持プロファイルは床または横材で堅固に連結される。さらに、照明要素や貯蔵用容器などの技術的応用例は、端部プロファイルの外側に設けられた台形のガイドによって固定されうる。
【００１２】
好ましくは、２つの相互に離隔された脚要素が各家具壁の底側に設けられる。脚要素は１つまたは複数のヘッドピースに固定されうる。好ましくは、脚要素は柱の形で配置され、ヘッドピースとともにラッチすることができるラッチ手段を有するストリップを備える。その場合、脚要素は、道具を使わずに取り付け、かつ調節することができる。
【００１３】
好ましくは、水平プロファイルは、引抜きガイドのガイドレール内で摺動するための受容要素を備える。その場合、ガイドレールはヘッドピースおよび水平プロファイル上に保持することができ、水平プロファイル上の受容要素は、実質的に連動する方法でガイドレールの一部を取り囲むことが好ましい。水平プロファイルは、特にケーブルまたは他の導体を受け入れるために、１つまたは複数の空洞をさらに含むことができる。
【００１４】
家具壁は側面に視覚的に一貫した外観のためのカバーボードを備え、カバーボードは水平プロファイルおよび／または垂直プロファイルあるいはヘッドピースに固定される。内側および外側にそれぞれ１つのカバーボードを設けることも可能である。家具ボードの表面縁部もまたカバーストリップで閉鎖することができる。それによってエッジバンドの機能が最初に満たされるが、スナップ式のカバーストリップを用いると、さらなる追加機能を実現することができる。考えられる例が、光ストリップ、電力供給、配電、シーリングプロファイルの収容、および／または保持マグネットの収容である。
【００１５】
プレハブ要素からなるモジュラーシステムを、例えば、モービルホーム、移動住宅、航空機または船舶の構造の低質量の構成要素と組み合わせて高い自由度が求められる領域に使用することもできる。その結果、壁要素が顧客の希望に従って組み立てられプレハブ式に作られることができ、その後、壁要素は簡単かつ迅速な方法で所望の場所に組み付けることができる。
【００１６】
ベースユニット、タワーユニット、または壁ユニットなどのための家具骨組み全体もまた、プレハブ式に作られ、最終的に目標場所に据え付けることができる。最終組立て全体は、要素を結合しラッチすることによって実質的に道具を使わずに行うことができる。したがって、現地での最終組立ては、迅速かつ費用効果の高い方法で行うことができる。
【００１７】
本発明による家具壁を少なくとも２つ有する家具骨組みを備える家具もまた本発明により提供される。
【００１８】
本発明について、同封図面に示されている一実施形態を参照して以下により詳細に説明する。
【図面の簡単な説明】
【００１９】
【図１】本発明による家具の斜視図である。
【図２】本発明による図１の家具の家具壁の斜視図である。
【図３】図２の家具壁のカバーボードのない状態の斜視図である。
【図４】図２の家具壁の分解斜視図である。
【図５Ａ】図３の家具壁のベース部の領域の図である。
【図５Ｂ】図３の家具壁のベース部の領域の図である。
【図６Ａ】図３の家具壁の、ヒンジを取り付けるときの図である。
【図６Ｂ】図３の家具壁の、ヒンジを取り付けるときの図である。
【図７Ａ】図１の家具の床の領域の図である。
【図７Ｂ】図１の家具の床の領域の図である。
【図８Ａ】図２の家具壁の、引抜きガイドが実装された状態の図である。
【図８Ｂ】図２の家具壁の、引抜きガイドが実装された状態の図である。
【図９Ａ】図１の家具のカバーボードの領域の図である。
【図９Ｂ】図１の家具のカバーボードの領域の図である。
【図１０】本発明による家具の別の実施形態の図である。
【図１１】本発明による家具の別の実施形態の図である。
【図１２】本発明による家具の別の実施形態の図である。
【図１３】本発明による家具の別の実施形態の図である。
【図１４】本発明による家具の別の実施形態の図である。
【発明を実施するための形態】
【００２０】
家具１、特にキッチン家具は、複数の家具壁２を有する家具の骨組みを備え、各家具壁２は家具の骨組みの側壁を形成する。家具壁２は、横材３０によって互いに連結され、キャビネットのドア３または引き出し要素を保持することができる。
【００２１】
各家具壁２は複数の水平プロファイル４を備え、各水平プロファイル４は端部側に１つのヘッドピース５を備える。水平プロファイル４のヘッドピース５は、垂直プロファイル１１によって互いに連結される。調節可能な脚８を有するストリップ状の脚要素７が家具壁２の底側に設けられ、脚要素７はヘッドピース５に固定される。
【００２２】
図１において、ヘッドピース５を有する水平プロファイル４は取付け具を収容するために使用され、ヒンジ２０がヘッドピース５に固定される。他の取付け具もまた家具壁２に固定されうる。
【００２３】
側面の薄いカバーボード１４は、取付け要素のための凹所を提供するために、道具を使わずに切り離すことができるミシン目４６を含む。
【００２４】
図３および図４は、家具壁２の枠組状の内部配置を示す。水平プロファイル４および垂直プロファイル１１は２枚のカバーボード１４の間に配置され、２枚のカバーボード１４は、プロファイル４およびヘッドピース５上に接着することができ、あるいは機械的締結手段によって固定することもできる。垂直プロファイル１１は、ヘッドピース５の開口を貫通し、ヘッドピース５とともにラッチすることができる。この目的のために、弾性ブラケット１６を備えるストリップ１２が各垂直プロファイル１１上に配置される。ブラケット１６は、ヘッドピース５内のそれぞれの凹所の中にラッチすることができる。脚要素７もまた、底部ヘッドピース５の開口を貫通し、ラッチ手段として同様に弾性ブラケット１５を備えるストリップ１３によって固定されうる。
【００２５】
各家具壁２は家具壁２の上側にカバーストリップ９を備え、カバーストリップ９は両端部側で変更されたヘッドピース１０に連結される。カバーストリップ９上のヘッドピース１０もまた垂直プロファイル１１によって貫通される。
【００２６】
図５Ａおよび図５Ｂは、家具壁２の枠組状の構成の下隅を示す。ストリップ１３が脚要素７に固定され、ストリップ１３は突き出た弾性ブラケット１５を備える。ブラケット１５は、ヘッドピース５にラッチされ、重量のために生じる力を吸収するために使用される。複数のブラケット１５が個々のヘッドピース５にラッチされることもできる。
【００２７】
図６Ａおよび図６Ｂに示されているように、各ヘッドピース５上に取付け具、特にヒンジ２０を取り付けることができる。ヒンジ２０は可動ヒンジ部２１を備え、可動ヒンジ部２１にはドアを固定することができる。ヒンジ部２１はジョイント要素２２を介してハウジング２３に連結されており、ハウジング２３は取付け板２５によってヘッドピース５に固定される。この目的で受容要素２４が各ヘッドピース５上に配置され、受容装置２４は、取付け板２５を滑り入れることができる溝を含む。弾性ブラケット２７が、ラッチ手段として受容要素２４の領域でヘッドピース５に固定される。取付け具を固定するための受容要素２４が各ヘッドピース５の両側にそれぞれ１つ設けられるが、実際にはヘッドピース５上の受容要素２４の一部しか使用されない。ヒンジ２０を受容要素２４に固定するために、ブラケット２７は取付け板２５内の凹所２６の中にラッチする。さらに、取付け板２５の各縁部は受容装置２４上にＵ字形状で取り囲まれ、したがって、重量負荷またはトルクがヘッドピース５によって吸収されうる。
【００２８】
図７Ａおよび図７Ｂは家具壁２の底部領域を示し、水平カバーストリップ９が見られる。カバーストリップ９は両側にそれぞれ１つの溝２９を含み、溝２９は断面が鉤形になっており、床３４が固定される対象である保持プロファイル３１を固定するために使用される。保持プロファイル３１は、床３４の中で突起部３２と係合する。鉤状突起部３３が保持プロファイル３１の反対側に形成されており、鉤状突起部３３は、床３４がカバーストリップ９の中に滑り入れられるように、カバーストリップ９内の溝２９の中で係合する。床３４は、他の高さで中間棚として使用することができる。
【００２９】
図８Ａおよび図８Ｂは、引抜きガイドのガイドレール４０が水平プロファイル４およびヘッドピース５上に取り付けられた家具壁２を示す。ガイドレール４０は、１つのリムと共にヘッドピース５上の受容要素２４の中に滑り入れられる曲がったＬ字プロファイルとして配置される。水平プロファイル４もまた、ガイドレール４０のリムが挿入されうる受容要素を備える。少なくとも１つの走行レール４１がガイドレール４０上に移動可能に保持され、走行レール４１には概略的にしか示されていない引き出し側板４２が固定される。重量による力はガイドレール４０によって水平プロファイル４およびヘッドピース５に伝達され、水平プロファイル４およびヘッドピース５は弾性ブラケット１６によって垂直プロファイル１１上に保持される。
【００３０】
図９Ａおよび図９Ｂは家具壁２の上部領域を示し、家具壁２上には、横材３０または床３４に連結されるカバーストリップ９が設けられる。カバーストリップ９は、床３４を固定するためにも横材３０を固定するためにも使用することができる。カバーストリップ９は、両側に鉤状断面をもつ溝２９を含む。鉤状突起部３３を有する保持プロファイル３１が溝２９の中に滑り入れられ、保持プロファイル３１は横材３０または床３４に連結される。横材３０上にはワークトップ、流し台または他の支持される要素（図示せず）を置くことができる。
【００３１】
図１０および図１１は、壁ユニットが個々の要素からどのように形成されるのかを示す。水平プロファイル４’は、ヘッドピース５’、垂直プロファイル１１’および端部プロファイル９’と共に家具壁２の枠組状のフレームを形成し、それによって、上方に配置された端部プロファイル９’、ヘッドピース５’および垂直プロファイル４３から空洞を形成する。受容要素４４は、受容要素４４の後側が垂直プロファイル４３のＵ字形溝の中で止まるまで、上記空洞の中に滑り入れられる。受容要素４４により展開式取付け具４５が確実に収容される。ヘッドピース５’は、例えばヒンジ用の取付け板を収容することができる。
【００３２】
図１２〜図１４に示されているように、複数の家具壁２が、フルハイトキャビネットが形成されるような方法で互いの上部に置くことができる。これは、ヘッドピース５上および水平プロファイル４内に形成されたあり継ぎプロファイルが端部プロファイル９上の一致する輪郭の中に滑り入れられるように行われる（図１３参照）。それによって安定した連動結合がもたらされる。図１２〜図１４は、上述したようなプロセスに従って形成されるフルハイトキャビネットの例として左側の部分を示す。右側は、ワークトップ（図示せず）を支持するために使用されうる横材３０のそばのベースユニットの上端部を示す。床３４および横材３０は、家具壁２を見えるようにするために示されているにすぎない。
【００３３】
すべての家具壁２が、所望のサイズ、高さおよび奥行きで組み立てることができ、様々な格子寸法で家具の骨組みに組み付けることができる。水平プロファイル４および垂直プロファイル１１ならびにヘッドピース５は、特に金属またはプラスチックで作ることができ、他の材料を使用することもできる。水平プロファイル４の間に空洞を配置した結果、家具壁２は、中身の詰まったプロファイルから作られた材料に比べて比較的軽量の構成で提供される。さらに、水平プロファイル４、ヘッドピース５および垂直プロファイル１１で作られた構造体は、自動化生産の範囲内で製造することができる。
【符号の説明】
【００３４】
１…家具、２…家具壁、３…仕切りドア、４、４’…水平プロファイル、５、５’…ヘッドピース、６…脚、７…脚要素、９…端部プロファイル、９’…端部プロファイル、１０…ヘッドピース、１１…垂直プロファイル、１１’…垂直プロファイル、１２…カバーストリップ、１３…ストリップ、１４…カバーボード、１５…ブラケット、１６…ブラケット、２０…ヒンジ、２１…ヒンジ部、２２…ジョイント要素、２３…ハウジング、２４…受容要素、２５…取付け板、２５’…取付け板、２６…凹所、２７…ブラケット、２９…溝、３０…横材、３１…保持プロファイル、３２…突起部、３３…突起部、３４…床、４０…ガイドレール、４１…走行レール、４２…引き出し側板、４３…垂直ストリップ、４４…受容要素、４５…展開式取付け具、４６…ミシン目。
【図１】
2012526573.tif 000003
【図２】
2012526573.tif 000004
【図３】
2012526573.tif 000005
【図４】
2012526573.tif 000006
【図５Ａ】
2012526573.tif 000007
【図５Ｂ】
2012526573.tif 000008
【図６Ａ】
2012526573.tif 000009
【図６Ｂ】
2012526573.tif 000010
【図７Ａ】
2012526573.tif 000011
【図７Ｂ】
2012526573.tif 000012
【図８Ａ】
2012526573.tif 000013
【図８Ｂ】
2012526573.tif 000014
【図９Ａ】
2012526573.tif 000015
【図９Ｂ】
2012526573.tif 000016
【図１０】
2012526573.tif 000017
【図１１】
2012526573.tif 000018
【図１２】
2012526573.tif 000019
【図１３】
2012526573.tif 000020
【図１４】
2012526573.tif 000021
【国際調査報告】
2012526573.tif 000022
2012526573.tif 000023
2012526573.tif 000024
2012526573.tif 000025